(57)【特許請求の範囲】
【請求項１】
光ディスクの表面に倣ってこの光ディスクに対して相対的に移動するスライダと、このスライダに搭載され、上記光ディスクに対して近位の第１レンズ体および遠位の第２レンズ体によって光源部からの光を集束して光ディスクの表面にビームスポットを形成する対物レンズ部とを備えており、かつ、上記スライダ内で微小動可能とされた可動部を有する第１微小変位機構によって上記光ディスクの半径方向に上記第１レンズ体を微小動させることにより、トラッキング制御が行なわれるように構成された光ディスク装置であって、
上記スライダには、上記第２レンズ体を支持するケース部内に上記第１レンズ体および上記第１微小変位機構を配置した構成とされた第１スライダ構成部が備えられており、さらに、上記第１微小変位機構とは別の第２微小変位機構を有するとともに上記第１スライダ構成部と同等の重量を有する第２スライダ構成部が少なくとも１つ備えられており、
上記第１スライダ構成部ないし上記第２スライダ構成部は、上記第１微小変位機構および上記第２微小変位機構の作動により発生させられる偶力が互いに相殺し合うように配置されていることを特徴とする、光ディスク装置。
【請求項２】
上記スライダは、その平面視における略重心位置において、サスペンション部材の先端部に対して支持されており、
上記第１スライダ構成部ないし上記第２スライダ構成部は、それらの総和が偶数個とされており、かつ、トラッキング方向と平行であるとともに上記スライダの重心を通る直線に対して、略線対称となるように配置される、請求項１に記載の光ディスク装置。
【請求項３】
上記第２スライダ構成部は、上記第１スライダ構成部の上記対物レンズ部とは別の第２対物レンズ部を備えており、これにより、装置全体として、上記光ディスクの異なる情報記録領域上にそれぞれ異なるビームスポットを形成しうるように構成されている、請求項１または２に記載の光ディスク装置。
【請求項４】
上記第１微小変位機構ないし上記第２微小変位機構はそれぞれ、上記可動部に形成された複数の第１櫛歯電極と、上記ケース部内に固定された固定部に形成され、かつ隣接する第１櫛歯電極の間に位置する複数の第２櫛歯電極との間に電圧を印加することにより上記可動部を上記光ディスクの半径方向に微小動させるように構成された静電アクチュエータとして設けられている、請求項１ないし３のいずれかに記載の光ディスク装置。
【発明の詳細な説明】
【０００１】
【発明の属する技術分野】
本願発明は、光源部からの光を対物レンズ部により集束して光ディスクの表面にビームスポットを形成するとともに、このビームスポットを光ディスクの半径方向に微小変位させてトラッキング制御を行うように構成された光ディスク装置に関する。なお、本明細書においては、光ディスク装置なる用語は、光ディスクなどの記録媒体に対する情報の読み取り専用装置のみならず、磁界変調方式や光強度変調方式によって光磁気ディスクや相変化ディスクなどの記録媒体に情報を記録し、あるいは記録された情報を再生する装置をも含むものとして使用している。
【０００２】
【従来の技術】
光ディスク装置には、光ディスクの高密度記録化に伴って、磁気ディスク装置で使用されている浮上スライダ技術が導入されたものがある。このような光ディスク装置の一例を図６に示す。この光ディスク装置１００は、光源部１からの光を集束して光ディスクＤの表面にビームスポットを形成する対物レンズ部２と、上記ビームスポットを光ディスクＤの半径方向（トラッキング方向）Ｒに微小変位させてトラッキング制御を行う微小変位機構３とを備えており、対物レンズ部２および微小変位機構３は、光ディスクＤの表面に倣って光ディスクＤに対して相対的に移動するスライダ１０４に搭載されている。
【０００３】
上記光源部１から出射される光は、光ディスクＤの表面に沿って進行するように配置されており、その光路Ｖ上には、この光を屈曲させて対物レンズ部２に導くための立ち上げミラーＭが備えられている。この立ち上げミラーＭで反射した光源部１からの光は、対物レンズ部２に対して上方から入射する。上記光路Ｖの一部は、光ディスクＤの半径方向に移動可能なキャリッジ（図示略）内を通り、立ち上げミラーＭは、このキャリッジ内に備えられている。
【０００４】
上記対物レンズ部２は、図７に示すように、光ディスクＤに対して近位に配置された第１レンズ２１および遠位に配置された第２レンズ２２を有しており、これら第１レンズ２１および第２レンズ２２は、その主平面が光ディスクＤと平行となるように配置されている。これにより、光源部１からの光は、第２レンズ２２により集束された後さらに第１レンズ２１により集束されることとなり、各レンズに入射する光束の径は、第２レンズ２２よりも第１レンズ２１の方が小さくなる。したがって、第１レンズ２１を第２レンズ２２よりも小さく、かつ軽量にすることができる。
【０００５】
また、第１レンズ２１は、上記スライダ１０４のケース部１５１内において上記微小変位機構３により光ディスクＤの半径方向Ｒに微小動させられるように構成されている一方、第２レンズ２２は、スライダ１０４のケース部１５１に支持されており、第１レンズ２１が第２レンズ２２に対して相対的に移動するように構成されている。したがって、微小変位機構３が第１レンズ２１を光ディスクＤの半径方向Ｒに微小動させたときには、ビームスポットＳが第１レンズ２１の移動方向と同じ方向に微小変位して、トラッキング制御を行うことができるようになっている。
【０００６】
上記スライダ１０４は、図６に示すように、上記キャリッジに取付けられたサスペンション部材９の先端部に支持されており、上記キャリッジが移動することによって光ディスクＤに対して相対的に移動することができる。また、スライダ１０４は、サスペンション部材９によって光ディスクＤに対して弾性的に押しつけられるが、光ディスクＤが高速回転する際には、光ディスクＤとの間に形成される流体くさびの圧力上昇によって、光ディスクＤの表面に対してわずかに浮上させられる。
【０００７】
このスライダ１０４において、対物レンズ部２は、図８に示すように、立ち上げミラーＭから入射してくる光がサスペンション部材９に遮断されないように、サスペンション部材９の先端部に対して光ディスクＤの回転方向にずれるように配置されている。すなわち、対物レンズ部２は、光ディスクＤの半径方向Ｒと平行でありかつサスペンション部材９に対して支持される支持点Ｐ′を通る直線Ｑから距離Ｌだけ離間して配置されている。
【０００８】
このような光ディスク装置１００では、上述したように、より軽量な第１レンズ２１を微小動させることによりトラッキング制御が行なわれるので、ビームスポットを比較的俊敏に所望の位置まで変位させることができる。したがって、トラッキング制御の応答性がよい。
【０００９】
【発明が解決しようとする課題】
しかしながら、対物レンズ２（第１レンズ２１）は、上述したように、上記直線Ｑから距離Ｌ離間した位置に配置されているので、上記微小変位機構３の作動により第１レンズ２１が光ディスクＤの半径方向Ｒに微小動する際には、図８に示すように、スライダ１０４を上記支持点Ｐ′の周りに回転させようとする偶力Ｇが発生してしまう。これにより、トラッキング制御が不安定となってしまうことがあった。
【００１０】
本願発明は、上記した事情のもとで考え出されたものであって、トラッキング制御を安定化することができる光ディスク装置を提供することをその課題とする。
【００１１】
【発明の開示】
上記課題を解決するため、本願発明では、次の技術的手段を講じている。
【００１２】
すなわち、光ディスクの表面に倣ってこの光ディスクに対して相対的に移動するスライダと、このスライダに搭載され、上記光ディスクに対して近位の第１レンズ体および遠位の第２レンズ体によって光源部からの光を集束して光ディスクの表面にビームスポットを形成する対物レンズ部とを備えており、かつ、上記スライダ内で微小動可能とされた可動部を有する第１微小変位機構によって上記光ディスクの半径方向に上記第１レンズ体を微小動させることにより、トラッキング制御が行なわれるように構成された光ディスク装置であって、上記スライダには、上記第２レンズ体を支持するケース部内に上記第１レンズ体および上記第１微小変位機構を配置した構成とされた第１スライダ構成部が備えられており、さらに、上記第１微小変位機構とは別の第２微小変位機構を有するとともに上記第１スライダ構成部と同等の重量を有する第２スライダ構成部が少なくとも１つ備えられており、上記第１スライダ構成部ないし上記第２スライダ構成部は、上記第１微小変位機構および上記第２微小変位機構の作動により発生させられる偶力が互いに相殺し合うように配置されていることを特徴としている。
【００１３】
好ましい実施の形態においては、上記スライダは、その平面視における略重心位置において、サスペンション部材の先端部に対して支持されており、上記第１スライダ構成部ないし上記第２スライダ構成部は、それらの総和が偶数個とされており、かつ、トラッキング方向と平行であるとともに上記スライダの重心を通る直線に対して、略線対称となるように配置される。
【００１４】
好ましい実施の形態においてはまた、上記第１微小変位機構ないし上記第２微小変位機構はそれぞれ、上記可動部に形成された複数の第１櫛歯電極と、上記ケース部内に固定された固定部に形成され、かつ隣接する第１櫛歯電極の間に位置する複数の第２櫛歯電極との間に電圧を印加することにより上記可動部を上記光ディスクの半径方向に微小動させるように構成された静電アクチュエータとして設けられている。
【００１５】
上記第１レンズ体がスライダの重心から離間した位置に配置されている場合、上記第１微小変位機構が作動して上記可動部が微小動する際には、この第１微小変位機構の駆動力と、可動部からスライダの重心までの距離との積により求められる偶力が発生し、これにより、スライダが、サスペンション部材との間の連結部（スライダの平面視における重心位置）の周りに回転しようとする。これと同様に、第２微小変位機構が作動する際には、第２微小変位機構の可動部からスライダの重心までの距離との積により求められる偶力が発生する。本願発明においては、第１微小変位機構および第２微小変位機構は、これらの偶力が相殺し合うように配置されているので、スライダが回転するのを防止することができる。したがって、トラッキング制御中に、スライダの回転にともなって上記対物レンズ部が回動するのを防止することができる。その結果、トラッキング制御を安定的に行うことができる。
【００１６】
好ましい実施の形態においてはさらにまた、上記第２スライダ構成部は、上記第１スライダ構成部の上記対物レンズ部とは別の第２対物レンズ部を備えており、これにより、装置全体として、上記光ディスクの異なる情報記録領域上にそれぞれ異なるビームスポットを形成しうるように構成されている。
【００１７】
このような構成によれば、この光ディスク装置に、たとえば、上記第２対物レンズ部に対応する他の光源部や、光ディスクからの反射光を電気信号に変換する他の光検出器などを設けることによって、多系統の光学回路を構築することができる。したがって、光ディスク上からの情報読み取り時間や、光ディスク上への情報記録時間などを大幅に短縮することができ、光ディスク装置の処理能力を向上させることができる。
【００１８】
本願発明のその他の特徴および利点については、以下に行う発明の実施の形態の説明から、より明らかになるであろう。
【００１９】
【発明の実施の形態】
以下、本願発明の好ましい実施の形態について、図面を参照して具体的に説明する。
【００２０】
図１は、本願発明に係る光ディスク装置の一例を示す概略斜視図、図２は、図１における第１および第２スライダ構成部を示す分解斜視図、図３は、図２における第１微小変位機構を示す平面図である。また、図４は、トラッキング制御を説明するための第１スライダ構成部周りの断面図、図５は、図１におけるスライダを示す平面図である。なお、これらの図において、従来例を示す図６ないし図８に表された部材、部分等と同等のものにはそれぞれ同一の符号を付してある。
【００２１】
図１に示す光ディスク装置Ａは、スピンドルＳｐに装着された光ディスクＤを回転させた状態において、光ディスクＤに対して磁界変調方式により情報を記録し、光を利用して情報を再生する。この光ディスク装置Ａには、光学ヘッドユニット部１０に備えられた光源部１と、光源部１からの光を集束して光ディスクＤの表面にビームスポットを形成する対物レンズ部２と、ビームスポットを光ディスクＤの半径方向に微小変位させてトラッキング制御を行うための第１微小変位機構３（図２参照）とが備えられており、対物レンズ部２および第１微小変位機構３は、光ディスクＤの表面に倣ってこの光ディスクＤに対して相対的に移動するスライダ４に搭載されている。
【００２２】
上記光学ヘッドユニット部１０は、光源部１の他に、入射した光（光ディスクＤからの反射光）を電気信号に変換する光検出器１２や、光源部１からの光を光ディスクＤへ向けて透過する一方、光ディスクＤからの反射光を光検出器１２に向けて反射するビームスプリッタ１１などが搭載されている。光源部１は、その内部に備えられた半導体レーザ素子から発せられるレーザ光をコリーメータレンズ（図示略）などにより平行光束光とし、これを出射するように構成されている。この光学ヘッドユニット部１０は、光ディスク装置Ａが光ディスクＤの厚み方向に大きくならないように、光源部１から出射される光（光路Ｖ）が光ディスクＤの表面に沿って進行するように配置されており、この光を屈曲させて対物レンズ部２に導くための立ち上げミラーＭがさらに備えられている。この立ち上げミラーＭは、対物レンズ部２の上方に配置されており、立ち上げミラーＭで反射した光源部１からの光は、対物レンズ部２に対して上方から入射する。
【００２３】
また、この光ディスク装置Ａには、図示していないが、たとえば直進型ボイスコイルモータなどの直進駆動機構などにより、光ディスクＤの半径方向（図１の矢印ＲA方向またはＲB方向：トラッキング方向）に移動可能なキャリッジが、光ディスクＤの第１面Ｄａ側に配置されており、上記光路Ｖの一部および立ち上げミラーＭは、このキャリッジ内に設けられている。
【００２４】
上記対物レンズ部２は、高ＮＡ化を達成すべく、図４（ａ）および図４（ｂ）に示すように、第１レンズ体２１と第２レンズ体２２とからなり、これらはそれぞれ、所定の焦点距離を有する単体のレンズとして設けられている。第１レンズ体２１は光ディスクＤに対して近位に配置されており、上記第１微小変位機構３に搭載されている。第２レンズ体２２は光ディスクＤに対して遠位に配置されており、後述する第１スライダ構成部５のケース部５１に支持されている。第１レンズ体２１および第２レンズ体２２は、その主平面が光ディスクＤと平行となるようにスライダ４に搭載されている。光源部１からの平行光束光は、第２レンズ体２２により集束された後さらに第１レンズ体２１により集束されて、光ディスクＤ上に結像されることによりビームスポットＳとなる。したがって、第２レンズ体２２に入射する光束の径よりも第１レンズ体２１に入射する光束の径のほうが小さくなり、第１レンズ体２１を第２レンズ体２２よりも小とすることができ、その分だけ第１レンズ体２１をより軽量なものとすることができる。
【００２５】
上記第１微小変位機構３は、本実施形態では、図２および図３に示すように、平面視長矩形状を呈したシリコン基板３０上に対して、可動部３１と、支持部３２と、バネ部３３と、固定部３４とを導体層により形成した静電アクチュエータが採用されている。
【００２６】
上記可動部３１は、図３においてクロスハッチングを施した部分であり、可動部本体３１Ａおよび互いに反対方向に延びる一対のフィン３１Ｂを有している。可動部本体３１Ａの中央部には、貫通孔３１ａが形成されている。この貫通孔３１ａに上記第１レンズ体２１が嵌合され、第１レンズ体２１はこの可動部３１と一体動可能とされる。各フィン３１Ｂの両長手縁からは、フィン３１Ｂの幅方向に延びる複数の第１櫛歯電極３１ｂが形成されている。フィン３１Ｂの同一縁から延びる複数の第１櫛歯電極３１ｂは、一定間隔隔てて互いに平行に延びている。
【００２７】
上記支持部３２は、可動部本体３１Ａに対して、幅方向両端部に上記バネ部３３を介して一体化されており、可動部３１は、シリコン基板３０に形成した凹部の底面（図示略）から離間した状態で、支持部３２およびバネ部３３を介して支持されている。また、少なくとも一方の支持部３２は、リード部３６を介してシリコン基板３０に繋がっている。このリード部３６は、可動部３１と固定部３４の間に電位を与える際に利用するものである。
【００２８】
上記固定部３４は、図３において右下がりのシングルハッチングを施した部分であり、シリコン基板３０上に形成された矩形枠部３４Ａを有している。矩形枠部３４Ａにおける２つの長辺からは、他方の長辺に向けて突出するように複数の第２櫛歯電極３４ａが形成されている。同一の長辺から延びる複数の第２櫛歯電極３４ａは、可動部本体３１Ａを挟む２つのグループからなり、各グループを構成する第２櫛歯電極３４ａは、一定間隔隔てて互いに平行に延びている。最端に位置する１つの第２櫛歯電極３４ａを除く他の第２櫛歯電極３４ａは、その先端部ないし中央部が隣接する２つの第１櫛歯電極３１ｂの間において、これらの第１櫛歯電極３１ｂの中間から偏位した部位に位置している。
【００２９】
このような第１微小変位機構３は、半導体製造プロセスを採用することにより形成することができる。たとえば、シリコンウエハに対する成膜およびエッチング処理により固定部および可動部となるべき部分を形成した後、シリコンウエハをダイシングすることにより形成することができる。したがって、第１微小変位機構３は、半導体製造プロセスを応用し、１つのウエハから複数のものを簡易に形成することができるため、量産性に優れ、製造コスト的にも有利である。
【００３０】
このような第１微小変位機構３では、上記可動部３１と固定部３４の間に電圧を印加することにより、固定部３４に対して可動部３１を矢印ＲA方向またはＲB方向に微小動させることができる。大部分の第１櫛歯電極３１ｂは、第２櫛歯電極３４ａの間に位置しているが、その位置がこれらの第２櫛歯電極３４ａの中間位置から偏位している。一方、可動部３１と固定部３４との間に電圧を印加すれば、第１櫛歯電極３１ｂと第２櫛歯電極３４ａとの間に静電気力が作用する。
【００３１】
ここで、静電気力は、電圧の２乗に比例し、極性とは無関係であり、また第１櫛歯電極３１ｂと第２櫛歯電極３４ａとの間の距離の２乗に反比例する。したがって、電圧印加時には、第１櫛歯電極３１ｂは、これを挟み込む２つの第２櫛歯電極３４ａのうち、近い側の第２櫛歯電極３４ａ側に引き寄せられる。その結果、図３においては第１櫛歯電極３１ｂひいては可動部３１の全体が図中の矢印ＲA方向に移動する。このとき、可動部３１に第１レンズ体２１を保持しておけば、第１レンズ体２１もまた矢印ＲA方向に移動する。
【００３２】
このように、可動部３１と固定部３４との間に電圧を印加すれば可動部３１が矢印ＲA方向に移動するが、その移動距離は静電気力の大きさ、つまり印加電圧値に比例する。ここで留意すべき点は、可動部３１と固定部３４との間に全く電圧を印加していない状態を基準とし、印加電圧値の大小によりトラッキング制御を行うとすれば、可動部３１は矢印のＲA方向にしかトラッキング制御できないことである。そのため、この第１微小変位機構３を用いて第１レンズ体２１を矢印ＲA方向およびＲB方向のいずれにも移動させる場合には、０よりも大きい基準電圧を印加した状態を原点とし、この基準電圧よりも大きな電圧を印加することにより可動部３１ないし第１レンズ体２１を原点よりも矢印ＲA方向に偏位した部位に微小動させる一方、基準電圧よりも小さな電圧を印加することにより可動部３１ないし第１レンズ体２１を原点よりも矢印ＲB方向に偏位した部位に微小動させるように構成される。
【００３３】
上記スライダ４は、平面視における略重心位置Ｐ（図５参照）で、所定の弾性を有するサスペンション部材９の先端部に支持されており、このサスペンション部材９は、上記した図示しないキャリッジに支持されている。これにより、スライダ４は、キャリッジが移動することによって光ディスクＤに対して相対的に移動することができる。スライダ４は、サスペンション部材９によって光ディスクＤの第１面Ｄａに対して平行となるように弾性的に押しつけられるが、光ディスクＤが高速回転する際には、スライダ４と光ディスクＤとの間に流入する空気により形成された流体くさびの圧力上昇によって、光ディスクＤの表面に対してわずかに浮上させられ、これにより、光ディスクＤの表面に倣って移動することができる。
【００３４】
このスライダ４には、図１に示すように、上記対物レンズ部２および第１微小変位機構３が搭載された第１スライダ構成部５と、第１微小変位機構３と同等の構成とされた第２微小変位機構３′（図５参照）を有する少なくとも１つの第２スライダ構成部６とが備えられている。第１スライダ構成部５ないし第２スライダ構成部６は、その総和が偶数個とされており、本実施形態では、スライダ４上に１つずつ合計２つ搭載されている。
【００３５】
上記第１スライダ構成部５は、図２に示すように、全体として下部が開放された箱型のケース部５１を有しており、このケース部５１は、平面視長矩形状を呈している。ケース部５１の上壁５１Ａの中央部には貫通孔５１ａが形成されており、この貫通孔５１ａに上記第２レンズ体２２が嵌合される。また、このケース部５１は、平面視における占有面積が上記第１微小変位機構３と同等とされており、その下部の開放部分を塞ぐように上記第１微小変位機構３が取付けられている。これにより、上記可動部３１は、この第１スライダ構成部５内で微小動し、第１レンズ体２１は、第２レンズ体２２に対して相対的に移動する。また、この第１スライダ構成部５（スライダ４）においては、第１微小変位機構３は、可動部３１と一体動する第１レンズ体２１の微小動の方向が光ディスクＤの半径方向ＲA，ＲBとなるように配置されている。したがって、第１微小変位機構３が第１レンズ体２１を微小動させた際には、図４（ａ）および図４（ｂ）に示すように、ビームスポットＳが第１レンズ体２１と同じ方向、すなわち光ディスクＤの半径方向ＲA，ＲBに微小変位して、トラッキング制御を行うことができるようになる。
【００３６】
たとえば、図４（ａ）に示したように、ビームスポットＳが所望位置から矢印ＲB方向にずれていた場合には、上記基準電圧よりも大きな電圧を可動部３１と固定部３４との間に印加すればよい。これに対して、図４（ｂ）に示したように、ビームスポットＳが所望位置から矢印ＲA方向にずれていた場合には、基準電圧よりも小さな電圧を可動部３１と固定部３４との間に印加すればよい。
【００３７】
第１レンズ体２１をどの程度微小動させるか、つまりどの程度の電圧を印加するかは、トラッキング信号に基づいて決定される。トラッキング信号は、ビームスポットＳが所望のトラックからどの程度ずれた部位に形成されているかを示すものであり、たとえば光ディスクＤからの反射光を上記光検出器１２などで検出し、そのときの電気的な出力に対してプッシュプル法を適用することにより検出することができる。
【００３８】
このようにして、この光ディスク装置Ａでは、第１レンズ体２１を微小動させることによりトラッキング制御が行われる。したがって、第１レンズ体２１は、上述したように、第２レンズ体２２よりも軽量とされているので、比較的駆動電力が小さくて済み、ランニングコストを低減することができ、その上、トラッキング信号に対して比較的俊敏に作動させることができ、トラッキング制御の応答性を向上することができる。
【００３９】
また、図５から良くわかるように、上記第１スライダ構成部５は、上記立ち上げミラーＭ（図１参照）で反射した光源部１からの光が、上述したように、対物レンズ部２に対して上方から入射するため、この光が上記サスペンション部材９に遮断されないように配置されている。すなわち、第１スライダ構成部５は、スライダ４上において、対物レンズ部２がサスペンション部材９の先端部から光ディスクＤの回転方向にずれるように配置されている。
【００４０】
さらに、図２に示すように、第１スライダ構成部５においては、第１微小変位機構３のシリコン基板３０に透明基板７が密着して設けられており、この透明基板７がスライダ４の底面で露出して、光ディスクＤと対向している。
【００４１】
この透明基板７には、図２および図４（ａ）に示すように、第１レンズ体２１と対応するように配置されたコイル７０が埋設されている。コイル７０は、通電時の発生磁界により光ディスクＤにおける磁気記録層の磁気向きを規定し、磁界変調方式による情報の記録を可能にするものである。このようなコイル７０は、たとえば銅などの金属膜をパターニングすることにより渦巻き状に形成されており、電気絶縁性を有する透明な材料、たとえば酸化アルミニウム、窒化アルミニウム、ダイヤモンドライクカーボン、酸化珪素、または窒化珪素などにより覆うことにより透明基板７内に埋設されている。
【００４２】
なお、この光ディスク装置Ａでは、光ディスクＤへの情報の記録方法として、光磁気ディスクに対応した磁界変調方式が採用されているため、上記コイル７０を有する透明基板７が備えられているが、これに限ることはなく、たとえば、光ディスクＤが相変化ディスクに対して情報の記録を行うことが可能な光強度変調方式を採用したものでは、透明基板７は備えられていない構成とされる。
【００４３】
上記第２スライダ構成部６は、第１微小変位機構３と同等の構成とされた第２微小変位機構３′（図５参照）を有するとともに第１スライダ構成部５と同等の重量を有している。好ましくは、この第２スライダ構成部６は、第２微小変位機構３′上に上記第１レンズ体２１と同等の重量を有する部材が搭載されている。このような第２スライダ構成部６は、本実施形態では、第１スライダ構成部５と同様の構成とされている。すなわち、第２スライダ構成部６は、上記第２微小変位機構３′に加えて、図２に示すように、対物レンズ部２、ケース部５１および透明基板７とそれぞれ同様の構成とされた第２対物レンズ部２′、第２ケース部５１′および第２透明基板７′からなる。また、上記光学ヘッドユニット部１０には、この第２スライダ構成部６と対応する第２光源部、第２ビームスプリッタおよび第２光検出器（図示略）が備えられており、この第２光源部から発せられる光（光路Ｖ′）が第２対物レンズ部２′に入射するように構成されている。したがって、この光ディスク装置Ａは、全体として、光ディスクＤの異なる情報記録領域上にそれぞれ異なるビームスポットを形成することができ、光ディスクＤに記録された情報の読み取り時間を短縮することができる。また、光ディスクＤに対して情報の記録を高速に行うことができる。
【００４４】
なお、この光ディスク装置Ａには、上記したように、第２スライダ構成部６が第１スライダ構成部５と同様の構成とされることによって、２系統の光学回路が構築されているが、これに限ることなく、従来通りに１系統のみの光学回路を備えたものとしてもよい。この場合、第２スライダ構成部６を第１スライダ構成部５と同等の重量とし、かつ、第２微小変位機構３′の可動部に、第１レンズ体２１′の代わりにこれと同等の重量を有するたとえばダミーレンズなど部材を搭載しておきさえすればよく、第２レンズ体２２′やケース部５１′あるいは透明基板７′に対応する部分は自由に設定しても良い。
【００４５】
ところで、上記第１スライダ構成部５は、上述したように、スライダ４上において、対物レンズ部２がサスペンション部材９の先端部から光ディスクＤの回転方向にずれるように配置されているため、上記第１微小変位機構３が作動して、第１レンズ体２１が微小動する際には、図５に示すように、スライダ４に対して、サスペンション部材９の先端との間の連結部Ｐ（スライダ４の平面視における重心位置）の周りに回転させようとする偶力Ｇａが発生する。この偶力Ｇａは、トラッキング方向（光ディスクＤの半径方向）ＲA，ＲBと平行でありかつスライダ４の重心Ｐを通る直線Ｑから第１レンズ体２１までの距離Ｌａと、第１微小変位機構３の駆動力Ｆａとの積により求められる。また、これと同様に、上記第２スライダ構成部６もまた第２微小変位機構３′を有しているので、この第２微小変位機構３′の作動によって、上記直線Ｑから第２微小変位機構３′の第１レンズ体２１′までの距離Ｌｂと第２微小変位機構３′の駆動力Ｆｂとの積により求まる偶力Ｇｂが発生する。
【００４６】
そこで、この光ディスク装置Ａにおいては、第１スライダ構成部５および第２構成部６は、それぞれの偶力Ｇａおよび偶力Ｇｂが互いに相殺し合うように配置されている。すなわち、第１スライダ構成部５および第２スライダ構成部６は、第１微小変位機構３と第２微小変位機構３′とが上記直線Ｑに対して略線対称となるように配置されており、上記スライダ４は、平面視における略重心位置Ｐで、サスペンション部材９の先端に支持されている。また、光ディスクＤにおける比較的近接して互いに隣接する２つの領域に対するトラッキング制御では、ビームスポットを微小変位させる向きが同じであるとすることができるので、第１微小変位機構３の第１レンズ体２１がトラッキング方向ＲB（ＲA）に微小動する際には、第２微小変位機構３′もまたトラッキング方向ＲB（ＲA）に微小動する。したがって、上記距離Ｌａと距離Ｌｂとが同等となり、かつ駆動力Ｆａの作用する方向と駆動力Ｆｂの作用する方向とが同等となる。また、第１微小変位機構３と第２微小変位機構３′とは、上述したように、同様のものであるから、駆動力Ｆａの大きさと駆動力Ｆｂの大きさとは同等となる。これらのことにより、偶力Ｇａと偶力Ｇｂとは、その大きさが等しくなるとともに、スライダ４を回転させようとする回転方向が互いに逆となり、互いに相殺し合う。
【００４７】
したがって、スライダ４が回転するのを防止することができ、トラッキング制御中に、スライダ４の回転にともなって上記対物レンズ部２が回動するのを防止することができる。その結果、トラッキング制御を安定的に行うことができる。
【００４８】
もちろん、本願発明は、上述した実施形態に限定されるものではなく、特許請求の範囲に記載した事項の範囲内でのあらゆる設計変更はすべて本願発明の範囲に含まれる。たとえば、上記第１スライダ構成部５および第２スライダ構成部６は、本実施形態では、その総数が２つであるとされているが、たとえばその総数を４つとしてもよく、この場合、これら４つのスライダ構成部を、たとえば２列×２行に配列すればよい。
【００４９】
【発明の効果】
以上、説明してきたように、本願発明に係る光ディスク装置は、トラッキング制御の第１微小変位機構による偶力を相殺する構成を有しているので、スライダが回転するのを防止することができ、トラッキング制御を安定化することができる。
【図面の簡単な説明】
【図１】本願発明に係る光ディスク装置の一例を示す概略斜視図である。
【図２】図１における第１および第２スライダ構成部を示す分解斜視図である。
【図３】図２における第１微小変位機構を示す平面図である。
【図４】トラッキング制御を説明するための第１スライダ構成部周りの断面図である。
【図５】図１におけるスライダを示す平面図である。
【図６】従来の光ディスク装置の一例を示す概略斜視図である。
【図７】図６のVII-VII線に沿う断面図である。
【図８】図６におけるスライダを示す平面図である。
【符号の説明】
１      光源部
２      対物レンズ部
２′    第２対物レンズ部
３      第１微小変位機構
３′    第２微小変位機構
４      スライダ
５      第１スライダ構成部
６      第２スライダ構成部
９      サスペンション部材
２１    第１レンズ体
２２    第２レンズ体
３１    可動部
３１ｂ  第１櫛歯電極
３４    固定部
３４ａ  第２櫛歯電極
５１    ケース部
Ａ      光ディスク装置
Ｄ      光ディスク
【図１】
0003785087.tif 000002
【図２】
0003785087.tif 000003
【図３】
0003785087.tif 000004
【図４】
0003785087.tif 000005
【図５】
0003785087.tif 000006
【図６】
0003785087.tif 000007
【図７】
0003785087.tif 000008
【図８】
0003785087.tif 000009